(57)【要約】【課題】死角車両の音源の方向を正確に検知する。【解決手段】自車両の右側および左側に離間して配置され、各々が車外音を集音する右側および左側の集音部１０２ａおよび１０２ｂと、右側の集音部１０２ａで集音された車外音から、自車両の左側範囲を検知対象として死角車両の音源の方向を検知し、自車両の右側範囲を検知対象としては死角車両の音源の方向を検知しない左側検知部１０３と、左側の集音部１０２ｂで集音された車外音から、自車両の右側範囲を検知対象として死角車両の音源の方向を検知し、自車両の左側範囲を検知対象としては死角車両の音源の方向を検知しない右側検知部１０４と、を備える。【選択図】図１
2012146149.tif 000002
【特許請求の範囲】
【請求項１】
自車両の右側および左側に離間して配置され、各々が車外音を集音する右側および左側の集音部と、
前記右側の集音部で集音された車外音から、自車両の左側範囲を検知対象として死角車両の音源の方向を検知し、自車両の右側範囲を検知対象としては死角車両の音源の方向を検知しない左側検知部と、
前記左側の集音部で集音された車外音から、自車両の右側範囲を検知対象として死角車両の音源の方向を検知し、自車両の左側範囲を検知対象としては死角車両の音源の方向を検知しない右側検知部と、
を備える死角車両検知システム。
【請求項２】
さらに、
前記右側の集音部および前記左側の集音部でそれぞれ集音された車外音に対してピークホールド処理を行うピークホールド処理部を備え、
前記左側検知部は、前記右側の集音部で集音され、かつ前記ピークホールド処理部でピークホールド処理が施された前記車外音から、自車両の左側範囲を検知対象として死角車両の音源の方向を検知し、自車両の右側範囲を検知対象としては死角車両の音源の方向を検知せず、
前記右側検知部は、前記左側の集音部で集音され、かつ前記ピークホールド処理部でピークホールド処理が施された前記車外音から、自車両の右側範囲を検知対象として死角車両の音源の方向を検知し、自車両の左側範囲を検知対象としては死角車両の音源の方向を検知しない
請求項１に記載の死角車両検知システム。
【請求項３】
さらに、
死角車両の回折音の音圧が死角車両の反射音の音圧より大きくなる音圧閾値を保持しており、前記右側の集音部で集音された車外音および前記左側の集音部で集音された車外音の各々が前記音圧閾値より大きいか否かを判定する音圧閾値処理部を備え、
前記左側検知部は、前記右側の集音部で集音された車外音が前記音圧閾値よりも大きいと判定された場合に、前記右側の集音部で集音された車外音から、自車両の左側範囲を検知対象として死角車両の音源の方向を検知し、自車両の右側範囲を検知対象としては死角車両の音源の方向を検知せず、
前記右側検知部は、前記左側の集音部で集音された車外音が前記音圧閾値よりも大きいと判定された場合に、前記左側の集音部で集音された車外音から、自車両の右側範囲を検知対象として死角車両の音源の方向を検知し、自車両の左側範囲を検知対象としては死角車両の音源の方向を検知しない
請求項１に記載の死角車両検知システム。
【請求項４】
前記音圧閾値は、死角車両の回折音の音圧が死角車両の反射音の音圧よりも所定の音圧だけ大きくなるときの前記回折音の音圧の値である
請求項３に記載の死角車両検知システム。
【請求項５】
自車両の右側に配置された右側の集音部で集音された車外音から、自車両の左側範囲を検知対象として死角車両の音源の方向を検知し、自車両の右側範囲を検知対象としては死角車両の音源の方向を検知しない左側検知部と、
前記右側の集音部と離間して自車両の左側に配置された左側の集音部で集音された車外音から、自車両の右側範囲を検知対象として死角車両の音源の方向を検知し、自車両の左側範囲を検知対象としては死角車両の音源の方向を検知しない右側検知部と、
を備える死角車両検知装置。
【請求項６】
自車両の右側および左側に離間して配置された右側および左側の集音部を用いて車外音を集音する集音ステップと、
前記右側の集音部で集音された車外音から、自車両の左側範囲を検知対象として死角車両の音源の方向を検知し、自車両の右側範囲を検知対象としては死角車両の音源の方向を検知しない左側検知ステップと、
前記左側の集音部で集音された車外音から、自車両の右側範囲を検知対象として死角車両の音源の方向を検知し、自車両の左側範囲を検知対象としては死角車両の音源の方向を検知しない右側検知ステップと、
を含む死角車両検知方法。
【請求項７】
自車両の右側および左側に離間して配置された右側および左側の集音部を用いて車外音を集音する集音ステップと、
前記右側の集音部で集音された車外音から、自車両の左側範囲を検知対象として死角車両の音源の方向を検知し、自車両の右側範囲を検知対象としては死角車両の音源の方向を検知しない左側検知ステップと、
前記左側の集音部で集音された車外音から、自車両の右側範囲を検知対象として死角車両の音源の方向を検知し、自車両の左側範囲を検知対象としては死角車両の音源の方向を検知しない右側検知ステップと、
をコンピュータに実行させるためのプログラム。
【発明の詳細な説明】
【技術分野】
【０００１】
本発明は、車外音から遮蔽物の死角に存在する他車両の方向を検知する死角車両検知システムに関する。特に、遮蔽物からの反射音の影響を除去した上で、他車両の方向を検知することができる死角車両音検知システムに関する。
【背景技術】
【０００２】
従来の車両音検知装置は、自車両の左右の２箇所に集音部を設置し、左右独立に他車両の存在を判定する。左側の集音部が先に他車両音を検知した場合は左側から右側に向けて他車両が走行していると判断して、右側の集音部が先に他車両音を検知した場合には右側から左側に向けて他車両が走行していると判断する（例えば、特許文献１参照）。
【０００３】
また、他の従来の音源方向推定装置は、集音部の出力に対してそれぞれピークホールド処理を行って、直接音よりも音圧が小さい反射音の影響を除去してから音源の方向を求める（例えば、特許文献２参照）。図２３に、特許文献２に記載された従来の音源方向推定装置を示す。
【０００４】
図２３（ａ）は、マイクＡとマイクＢに入力された直接音と反射音とを模式的に示している。図２３（ｂ）は、図２３（ａ）に示したマイクＡとマイクＢに入力された直接音と反射音とにピークホールド処理を施した結果を示している。このように、直接音より音圧が小さい反射音はピークホールド処理により、その影響を取り除くことができる。
【先行技術文献】
【特許文献】
【０００５】
【特許文献１】特開２０００−１０５２７４号公報
【特許文献２】特開平５−８７９０３号公報
【発明の概要】
【発明が解決しようとする課題】
【０００６】
しかしながら、従来の車両音検知装置では、車外音から遮蔽物の死角に存在する他車両である死角車両の車両音の音源方向を検知する場合に、遮蔽物での車両音の反射の影響を考慮していないため、死角車両の方向とは異なる反射音の方向を検知してしまうという課題を有している。例えば、遮蔽物による車両音の回折により車両音の回折音が減衰し、他の遮蔽物による車両音の反射音の音圧の方が大きくなる場合がある。このような場合には、死角車両の音源の方向が反射音が到来する方向であると誤検知してしまう。
【０００７】
また、従来の音源方向推定装置では、遮蔽物の影響を考慮していないため、死角車両の回折音よりも反射音の音圧の方が大きくなり、ピークホールド処理では反射音の影響を除去することができないという課題を有している。つまり、このような場合も反射音の音圧に基づいて音源の方向が求められるため、死角車両の音源の方向が反射音が到来する方向であると誤検知してしまう。
【０００８】
すなわち、従来の方法では、遮蔽物がある場合に反射音の影響を除去することができないため、死角車両の音源の方向を正確に検知することができないという共通の課題を有している。
【０００９】
本発明は、前記従来の課題を解決するもので、遮蔽物がある場合に反射音の影響を除去して、死角車両の音源の方向を正確に検知することのできる死角車両検知システムを提供することを目的にする。
【課題を解決するための手段】
【００１０】
前記従来の課題を解決するために、本発明のある局面に係る死角車両検知装置は、自車両の右側および左側に離間して配置され、各々が車外音を集音する右側および左側の集音部と、前記右側の集音部で集音された車外音から、自車両の左側範囲を検知対象として死角車両の音源の方向を検知し、自車両の右側範囲を検知対象としては死角車両の音源の方向を検知しない左側検知部と、前記左側の集音部で集音された車外音から、自車両の右側範囲を検知対象として死角車両の音源の方向を検知し、自車両の左側範囲を検知対象としては死角車両の音源の方向を検知しない右側検知部と、を備える。
【００１１】
本構成によって、（ｉ）死角車両（音源）から遠い集音部で集音された回折音を用いて死角車両の音源の方向を検知することにより、回折による音圧減衰量を小さく抑えることができる。また、（ｉｉ）遮蔽物の反射位置に近い集音部で集音された遮蔽物による反射音の到来方向は検知対象外である。さらに、（ｉｉｉ）遮蔽物の反射位置から遠い集音部で集音された遮蔽物による反射音は距離により大きく減衰する。このような３つの特徴（ｉ）〜（ｉｉｉ）から、回折音の音圧は音源から近い集音部で集音される場合に比べてより大きくなり、反射音は反射音の到来方向に近い集音部で集音される場合に比べてより小さくなる。よって、相対的に回折音は反射音よりもより音圧が大きくなる。このため、反射音の影響を除去して死角車両の正確な音源の方向を検知することができる。このような死角車両の音源の方向を運転者に提示することにより、運転者は自車両の安全走行を行うことができる。
【００１２】
好ましくは、上述の死角車両検知装置は、さらに、前記右側の集音部および前記左側の集音部でそれぞれ集音された車外音に対してピークホールド処理を行うピークホールド処理部を備え、前記左側検知部は、前記右側の集音部で集音され、かつ前記ピークホールド処理部でピークホールド処理が施された前記車外音から、自車両の左側範囲を検知対象として死角車両の音源の方向を検知し、自車両の右側範囲を検知対象としては死角車両の音源の方向を検知せず、前記右側検知部は、前記左側の集音部で集音され、かつ前記ピークホールド処理部でピークホールド処理が施された前記車外音から、自車両の右側範囲を検知対象として死角車両の音源の方向を検知し、自車両の左側範囲を検知対象としては死角車両の音源の方向を検知しない。
【００１３】
本構成によって、反射音の音圧よりも大きい死角車両の車両音（回折音）でピークホールド処理を行うことで、遮蔽物の材質等により反射音または残響音が大きい場合でも、回折音と反射音とが混合することで生じる方向精度の乱れを除去することができる。これによって、死角車両の方向精度の信頼性を高めることができる。
【００１４】
好ましくは、上述の死角車両検知装置は、さらに、死角車両の回折音の音圧が死角車両の反射音の音圧より大きくなる音圧閾値を保持しており、前記右側の集音部で集音された車外音および前記左側の集音部で集音された車外音の各々が前記音圧閾値より大きいか否かを判定する音圧閾値処理部を備え、前記左側検知部は、前記右側の集音部で集音された車外音が前記音圧閾値よりも大きいと判定された場合に、前記右側の集音部で集音された車外音から、自車両の左側範囲を検知対象として死角車両の音源の方向を検知し、自車両の右側範囲を検知対象としては死角車両の音源の方向を検知せず、前記右側検知部は、前記左側の集音部で集音された車外音が前記音圧閾値よりも大きいと判定された場合に、前記左側の集音部で集音された車外音から、自車両の右側範囲を検知対象として死角車両の音源の方向を検知し、自車両の左側範囲を検知対象としては死角車両の音源の方向を検知しない。
【００１５】
本構成によって、死角車両の回折音と反射音との関係から定まる音圧閾値を用いて閾値処理することで、回折音と反射音とが混合することで生じる方向精度の乱れを除去することができる。つまり、反射音は回折音でマスクされてしまうため、反射音の影響を受けることなく音源の方向を検知することができる。これによって、死角車両の方向精度の信頼性を高めることができる。さらに、時間方向にピークホールド処理を行っていないため、時刻ごとに死角車両の方向を運転者に知らせることができる。このため、運転者は自車両の安全走行を行うことができる。
【００１６】
使い方の一例として、音圧閾値の条件を満たさず死角車両の検知方向の信頼性が高くない場合には、運転者に死角車両の接近方向（左または右といった大まかなレベルでの接近方向）を知らせ、音圧閾値の条件を満たして死角車両の検知方向の信頼度が高い場合には、運転者に死角車両の位置情報を知らせる（例えば、レーダ表示）ことで、検知精度に応じた確実な死角車両の検知方向を運転者に知らせることができる。
【００１７】
なお、本発明は、このような特徴的な処理部を備える死角車両検知システムとして実現することができるだけでなく、死角車両検知システムに含まれる特徴的な処理部をステップとする死角車両検知方法として実現したり、死角車両検知方法に含まれる特徴的なステップをコンピュータに実行させるプログラムとして実現したりすることもできる。そして、そのようなプログラムは、ＣＤ−ＲＯＭ等の記録媒体やインターネット等の通信ネットワークを介して流通させることができるのも言うまでもない。
【００１８】
また、死角車両検知システムに含まれる左側検知部と右側検知部とを備える死角車両検知装置として実現することもできる。
【発明の効果】
【００１９】
本発明によると、遮蔽物がある場合に反射音の影響を除去して、死角車両の音源の方向を正確に検知することができる。
【図面の簡単な説明】
【００２０】
【図１】本発明の実施の形態１における死角車両検知システムの全体構成を示したブロック図
【図２】（ａ）２つの集音部を自車両のバンパーに配置した図、（ｂ）２つの集音部を自車両の天井に配置した図、（ｃ）２つの集音部を自車両の後部に配置した図
【図３】自車両の右側範囲と左側範囲とを説明するための図
【図４】自車両の右側範囲と左側範囲とを説明するための図
【図５】本発明の実施の形態１における死角車両検知システムの動作手順を示したフローチャート
【図６】遮蔽物の影響による回折減衰量の大きさを説明する図
【図７】遮蔽物による反射音の影響を説明する図
【図８】（ａ）回折音の音源から近い集音部で集音した回折音と反射音との音圧の関係を示す図、（ｂ）回折音の音源から遠い集音部で集音した回折音と反射音との音圧の関係を示す図
【図９】死角車両の位置を説明するための図
【図１０】回折音について説明するための図
【図１１】遮蔽物による反射音の影響を説明する図
【図１２】各々、２つのマイクロホンで構成した集音部の一例を示す図
【図１３】回折音と反射音との関係を示す図
【図１４】回折音の到来する方向を示す図
【図１５】（ａ）時間軸を調整する前の回折音を示す図、（ｂ）時間軸が調整された後の回折音を示す図
【図１６】車外音の音圧比較により音源の方向を検知する方法のフローチャート
【図１７】指向性マイクロホンによる集音部の構成の一例を示す図
【図１８】本発明の実施の形態２における死角車両検知システムの全体構成を示したブロック図
【図１９】本発明の実施の形態２における死角車両検知システムの動作手順を示したフローチャート
【図２０】本発明の実施の形態３における死角車両検知システムの全体構成を示したブロック図
【図２１】本発明の実施の形態３における死角車両検知システムの動作手順を示したフローチャート
【図２２】音圧閾値の決定方法を説明する図
【図２３】従来の音源方向推定装置を説明する図
【発明を実施するための形態】
【００２１】
以下本発明の実施の形態について、図面を参照しながら説明する。
【００２２】
（実施の形態１）
図１は、本発明の実施の形態１の死角車両検知システムの全体構成を示したブロック図である。
【００２３】
図１において、死角車両検知システム１０８は、死角車両の音源の方向を検知して、検知結果を運転者に提示するシステムであり、自車両の右側に配置された集音部１０２ａと、自車両の左側に配置された集音部１０２ｂと、死角車両検知装置１００と、提示部１０６とを具備する。死角車両検知装置１００は、集音部１０２ａで集音された車外音１０１ａまたは集音部１０２ｂで集音された車外音１０１ｂから死角車両の音源の方向を検知する装置であり、左側検知部１０３と、右側検知部１０４とを具備する。集音部１０２ａと集音部１０２ｂとは離間して配置されている。以下の説明では、「車外音」とは、他車両の走行音を含む自車両の外部で発生する音をいう。
【００２４】
図２に、集音部１０２ａと集音部１０２ｂを配置する方法の一例を示す。図２（ａ）に示すように、自車両のフロントバンパーの右側と左側に離間して配置する方法、図２（ｂ）に示すように、自車両の天井の右側と左側に離間して配置する方法、図２（ｃ）に示すように、自車両の後部の右側と左側に離間して配置する方法等がある。
【００２５】
集音部１０２ａは、自車両の右側に配置されており車外音１０１ａを集音する。集音部１０２ｂは、自車両の左側に配置されており車外音１０１ｂを集音する。集音部１０２ａおよび１０２ｂは、具体的にはマイクロホンである。
【００２６】
左側検知部１０３は、右側の集音部１０２ａで集音された車外音１０１ａから、自車両の左側範囲を検知対象として死角車両の音源の方向を検知し、自車両の右側範囲を検知対象としては死角車両の音源の方向を検知しない。つまり、左側検知部１０３は、車外音１０１ａから、自車両の左側範囲のみを検知対象として死角車両の音源の方向を検知する。なお、音源の方向を検知しないとは、音源の方向を検知はしているが出力しない場合も含むものとする。以下の説明においても同様である。
【００２７】
右側検知部１０４は、左側の集音部１０２ｂで集音された車外音１０１ｂから、自車両の右側範囲を検知対象として死角車両の音源の方向を検知し、自車両の左側範囲を検知対象としては死角車両の音源の方向を検知しない。つまり、右側検知部１０４は、車外音１０１ｂから、自車両の右側範囲のみを検知対象として死角車両の音源の方向を検知する。
【００２８】
図３は、自車両の右側範囲と左側範囲とを説明するための図である。自車両の長手方向（自車両の直進方向）に平行で且つ集音部１０２ａと集音部１０２ｂとから等距離の破線で示される直線を想定する。自車両の前進方向に向かって破線で示される直線の右側および左側を、それぞれ、自車両の右側範囲および左側範囲とする。なお、集音部１０２ａおよび集音部１０２ｂは、少なくとも５０ｃｍ、好ましくは１ｍ以上離すのが好ましい。
【００２９】
図４は、自車両の右側範囲と左側範囲とを説明するための他の図である。集音部１０２ａおよび集音部１０２ｂはそれぞれ指向性範囲が範囲３０１ａおよび３０１ｂである指向性マイクロホンであるとする。範囲３０１ａおよび３０１ｂから等距離にある（集音部１０２ａおよび集音部１０２ｂの指向性の放射強度（音圧感度）が等しくなる）破線で示される直線を想定する。この直線上に音源がある場合には、集音部１０２ａで集音される音の音圧と集音部１０２ｂで集音される音の音圧とが等しくなる。自車両の前進方向に向かって破線で示される直線の右側および左側を、それぞれ、自車両の右側範囲および左側範囲とする。なお、集音部１０２ａおよび集音部１０２ｂは、少なくとも５０ｃｍ、好ましくは１ｍ以上離すのが好ましい。
【００３０】
再度図１を参照して、提示部１０６は、左側検知部１０３と右側検知部１０４によって検知された検知結果１０５を運転者に提示する。例えば、提示部１０６は、音声で死角車両の音源の方向を知らせたり、カーナビゲーションのディスプレイに死角車両の音源の方向を表示したりする。
【００３１】
次に、以上のように構成された死角車両検知装置１００の動作について説明する。
【００３２】
図５は、死角車両検知システム１０８の動作手順を示したフローチャートである。
【００３３】
自車両の右側に配置された集音部１０２ａは、車外音１０１ａを集音する。また、自車両の左側に配置された集音部１０２ｂは、車外音１０１ｂを集音する（ステップＳ３００）。
【００３４】
次に、左側検知部１０３は、集音部１０２ａを用いて自車両の左側範囲に存在する死角車両の音源の方向を検知する。また、右側検知部１０４は、集音部１０２ｂを用いて自車両の右側範囲に存在する死角車両の音源の方向を検知する（ステップＳ３０１）。
【００３５】
図６は、遮蔽物の影響による回折減衰量の大きさを説明する図である。
【００３６】
図６には、自車両の左側範囲の遮蔽物の死角に死角車両が存在する一例が示されている。回折減衰量の大きさは、音源位置（死角車両）と遮蔽物の角と集音部とが成す角度により定まり、角度が急になる（小さくなる）と急激に回折減衰量が大きくなる。この回折による音圧減衰量は、距離減衰量と比較して極めて大きい。このため、本構成のように、左側範囲の死角車両を、あえて死角車両（音源）から遠い右側の集音部１０２ａで集音することにより、回折による音圧減衰量を小さく抑えることができて結果的に死角車両音を高感度で（音圧を大きく）集音することができる。また、右側範囲の死角車両を左側の集音部１０２ｂで集音する場合も同様な原理で死角車両音を高感度で集音することができる。
【００３７】
図７は、遮蔽物による反射音の影響を説明する図である。
【００３８】
図７には、自車両の左側範囲の遮蔽物の死角に死角車両が存在する一例が示されている。この例では、自車両の右側の遮蔽物に反射して右側から反射音が到達する。右側の集音部１０２ａで集音された車外音１０１ａは、左側検知部１０３で処理され、左側検知部１０３では、自車両の左側範囲に存在する死角車両の音源の方向を検知するため、右側から到達する反射音は検知対象外となり検知されることはない。一方、左側の集音部１０２ｂで集音された車外音１０１ｂは、右側検知部１０４で処理されるが、遮蔽物との反射位置と集音部１０２ｂとは距離が離れているため、距離により反射音は減衰する。また、自車両の左側の遮蔽物に反射する反射音も同様な原理で反射音の影響を抑えることができる。
【００３９】
図８は、回折音と反射音との音圧の関係を示す図である。
【００４０】
図８（ａ）には、回折音の音源に近い集音部で集音した従来の、回折音と反射音との音圧の関係について示されている。横軸は死角車両と自車両との距離を示している。縦軸は音圧を示している。本実施の形態では、図９に示すように自車両の走行車線の左右に遮蔽物があり、かつ、死角車両は自車両の走行車線を横切る車線を走行しているものとする。
【００４１】
図８（ａ）に示すように、死角車両と自車両との距離が小さくなるにつれ死角車両の回折音の音圧は増加する。また、死角車両と自車両との距離が小さくなるにつれ死角車両の反射音（死角車両の走行音の遮蔽物による反射音）の音圧は増加するが、死角車両が自車両の正面に来るにつれ、その音圧は減少する。これらの現象について以下に説明する。
【００４２】
図１０を用いて自車両の左側から到来する回折音について説明する。図１０に示すように死角車両から遮蔽物までの距離をａとし、遮蔽物から自車両までの距離をｂとし、死角車両と自車両とを結ぶ線分の長さをｃとする。このとき、ａ＋ｂ−ｃの値が大きいほど回折による音の減衰量が大きくなることが知られている。死角車両が遠方に存在するほどａ＋ｂ−ｃの値が大きくなるため、音の減衰量が大きくなり回折音の音圧が減少する。一方、死角車両が自車両に近づくにつれａ＋ｂ−ｃの値が小さくなるため、音の減衰量が小さくなり回折音の音圧が増加する。このため、図８（ａ）の実線に示すような回折音の音圧のグラフが得られる。
【００４３】
一方、自車両の左側から到来する反射音について考える。図１１は、遮蔽物による反射音の影響を説明する図である。自車両の右側に位置する死角車両の走行音は自車両の左側に位置する遮蔽物で反射され、自車両の集音部１０２ａおよび１０２ｂで集音される。死角車両が遠方から近傍に近付くにつれ、死角車両の走行音の伝播距離が短くなる。このため、反射音の減衰量は小さくなり、反射音の音圧が増加する。しかし、死角車両がある地点を越えると死角車両が正面に近付くにつれ反射音の音圧が減少する。これは、遮蔽物の反射面における音の入射角および反射角が９０度に近づくためである。入射角および反射角が９０度に近付くにつれ、反射音自体が集音部１０２ａおよび１０２ｂに到達しにくくなる。よって、反射音の音圧が徐々に減少し、図８（ａ）の破線に示すような反射音の音圧のグラフが得られる。
【００４４】
図８（ａ）に示すように、回折音の音源に近い集音部で車外音を集音した場合には、死角車両が遠方に存在して回折減衰量が大きいときに、回折音よりも反射音の音圧の方が大きくなってしまう。このため、反射音の方向を誤って検知してしまう。
【００４５】
図１１には、自車両の右側範囲の遮蔽物の死角に死角車両が存在する一例が示されている。この例では、自車両の左側の遮蔽物で死角車両が発する音が反射して左側から反射音が到達する。左側の集音部１０２ｂで集音された車外音１０１ｂを用いて、自車両の右側範囲に存在する死角車両の音源の方向が検知されるため、左側から到達する反射音は対象外となり方向が検知されることはない。一方、右側の集音部１０２ａで集音された車外音１０１ａを用いた場合は、左側から到達する反射音は検知対象内であるが、遮蔽物との反射位置と集音部１０２ａとは距離が離れているため、距離により反射音は大幅に減衰される。
【００４６】
図８（ｂ）には、実施の形態１の構成による回折音と反射音との音圧の関係について示されている。つまり、回折音の音源から遠い集音部で集音された回折音と反射音との音圧の関係について示されている。横軸は死角車両と集音部との距離を示している。縦軸は音圧を示している。この場合は、（ｉ）死角車両（音源）から遠い集音部で回折音を集音することにより、回折による音圧減衰量を小さく抑えることができる。また、（ｉｉ）遮蔽物の反射位置に近い集音部で集音された反射音の方向は検知対象外である。さらに、（ｉｉｉ）遮蔽物の反射位置から遠い集音部で集音された反射音は距離により大きく減衰する。これら３つの特徴（ｉ）〜（ｉｉｉ）から、回折音の音圧は回折音の音源から近い集音部で集音される場合に比べてより大きくなり、反射音は反射音の到来方向に近い集音部で集音される場合に比べてより小さくなる。このため、相対的に、回折音は反射音よりもより音圧が大きくなる。このため、反射音の影響を除去して死角車両の正確な方向を検知することができる。
【００４７】
ここで、左側検知部１０３が、自車両の左側範囲に存在する死角車両の音源の方向を検知する方法について説明する。
【００４８】
一例として、図１２に示すように、集音部１０２ａは２個の水平に配置されたマイクロホン１０２ａＬおよび１０２ａＲで構成されるものとする。左側検知部１０３はマイクロホン１０２ａＬおよび１０２ａＲで集音された車外音１０１ａの到達時間差により死角車両の音源の方向を求める。このとき、音源の方向を探索する範囲は自車両の左側範囲に絞って行う。具体的な音源の方向を求める方法としては、従来の一般的な方法であるマイクロホン間の波形の到達時間差を比較する相関法や位相差により求める方法等がある。別の例としては、集音部１０２ａは１個の左側範囲に向けられた指向性マイクロホンで構成され、一定の音圧以上に達したときに死角車両を左側範囲に検知する方法等もある。
【００４９】
左側検知部１０３が検知対象としている左側から到来する回折音は左側から到来する反射音よりも音圧が大きいため、死角車両の音源の方向を正確に検知することができる。図１３は、回折音と反射音との関係を示す図であり、横軸は時間を示し、縦軸は音圧を示す。図１３に示すように回折音と反射音とは持続的に続く音を想定している。回折音の音圧が反射音の音圧よりも高いため、音圧の小さな反射音は音圧の大きな回折音にマスクされてしまう。よって、反射音の影響を受けることなく回折音によって死角車両の方向が決定されることになり、正確に死角車両の音源の方向が検知される。
【００５０】
音源の方向の検知方法の一例として、到達時間差による音源方向の検知方法について説明する。図１２に示すように、集音部１０２ａは２個の水平に配置されたマイクロホン１０２ａＬおよび１０２ａＲで構成され、集音部１０２ｂは２個の水平に配置されたマイクロホン１０２ｂＬおよび１０２ｂＲで構成されるものとする。右側検知部１０４は、マイクロホン１０２ｂＬで集音された車外音１０１ｂと、マイクロホン１０２ｂＲで集音された車外音１０１ｂとの到達時間差により死角車両の音源の方向を求める。このとき、音源の方向を探索する範囲は自車両の右側範囲に絞って行う。
【００５１】
図１４に示すように、方向Θから死角車両の回折音が到来するものと想定する。また、マイクロホン１０２ｂＬとマイクロホン１０２ｂＲとの間の距離をＬとすると、マイクロホン１０２ｂＬとマイクロホン１０２ｂＲとの回折音の到達時間差τは以下の（式１）で表すことができる。
【００５２】
【数１】
2012146149.tif 000003
【００５３】
ここで、Ｃは音速である。
【００５４】
つまり、到達時間差τを求めることができれば、（式１）より死角車両の音源の方向Θを算出することができる。
【００５５】
図１５は、所定の方向Θから到達する回折音に対してマイクロホン間での到達時間差がゼロになるように時間軸を調整した回折音の一例を示す。横軸は時間軸を示し、縦軸は振幅を示している。図１５（ａ）には、時間軸を調整する前の回折音が示されており、図１５（ｂ）には、時間軸が調整された後の回折音が示されている。車外音Ｌおよび車外音Ｒは、マイクロホン１０２ｂＬとマイクロホン１０２ｂＲで集音された車外音１０１ｂを示している。右側検知部１０４は、図１５（ｂ）に示すように、車外音Ｌを基準として、車外音Ｒの時間軸を順次遅らせながら車外音Ｌと車外音Ｒとの相関値を計算する。車外音Ｒの時間軸をτの時刻だけ遅らせた時に相関値が最大となったとする。右側検知部１０４は、このときのτを（式１）に代入することにより、死角車両の音源の方向Θを算出する。
【００５６】
なお、右側検知部１０４は、自車両の右側範囲のみを音源方向の検知対象としている。このため、車外音Ｌと車外音Ｒとの相関値を計算する際には、車外音Ｒの時間軸を遅らせることのみを行い、早めることは行わない。逆に、左側検知部１０３は、車外音Ｒの時間軸を早めることは行うが、遅らせることは行わない。なお、到達時間差τを求める方法は、波形同士の相関値を求める方法に限定されず、２つの波形の位相差からτを求めるようにしてもよい。
【００５７】
音源の方向の検知方法の他の一例として、音圧比較による音源方向の検知方法について説明する。
【００５８】
図１６は、車外音１０１ｂの音圧比較により音源の方向を検知する方法のフローチャートである。右側検知部１０４は、マイクロホン１０２ｂＬで集音された車外音１０１ｂの音圧と、マイクロホン１０２ｂＲで集音された車外音１０１ｂの音圧とを比較する（ステップＳ１００１）。マイクロホン１０２ｂＲで集音された車外音１０１ｂの音圧がマイクロホン１０２ｂＬで集音された車外音１０１ｂの音圧よりも大きい場合には（Ｓ１００１でＹＥＳ）、右側検知部１０４は、死角車両の音源の方向は右側と判断する（Ｓ１００２）。マイクロホン１０２ｂＲで集音された車外音１０１ｂの音圧がマイクロホン１０２ｂＬで集音された車外音１０１ｂの音圧以下の場合には（Ｓ１００１でＮＯ）、右側検知部１０４は、音源の方向を判断しない。
【００５９】
左側検知部１０３が、自車両の左側範囲に存在する死角車両の音源の方向を検知する方法については、右側検知部１０４が、自車両の右側範囲に存在する死角車両の音源の方向を検知する方法と同様な方法で行うことができる。
【００６０】
音源の方向の検知方法のさらに他の一例として、指向性マイクロホンを用いて音源の方向を検知してもよい。図１７に示すように集音部１０２ａを自車両の左側に指向性を持たせた指向性マイクロホンとし、集音部１０２ｂを自車両の右側に指向性を持たせた指向性マイクロホンとしてもよい。この場合には、左側検知部１０３は、集音部１０２ａが所定の音圧閾値よりも音圧が大きい車外音１０１ａを集音した場合には、死角車両の音源の方向が左側であると判断する。また、右側検知部１０４は、集音部１０２ｂが所定の音圧閾値よりも音圧が大きい車外音１０１ｂを集音した場合に、死角車両の音源の方向が右側であると判断する。
【００６１】
再度図５を参照して、提示部１０６は、運転者に、左側検知部１０３および右側検知部１０４が検知した死角車両の情報を提示して知らせる（ステップＳ３０２）。提示方法の一例として、「右から車両接近」のように左または右といった大まかなレベルでの検知結果を知らせる方法や、死角車両の位置をレーダ表示して知らせる方法等がある。
【００６２】
なお、ステップＳ３０２の処理において、左側検知部１０３は、自車両の左側範囲のみを検知対象として死角車両の音源の方向を検知するのではなく、自車両の左側範囲および右側範囲を検知対象として死角車両の音源の方向を検知し、自車両の左側範囲の音源の方向のみを提示部１０６に出力するものであっても良い。右側検知部１０４についても同様である。
【００６３】
かかる構成によれば、右側の集音部で集音された車外音から自車両の左側範囲に存在する死角車両の音源の方向を検知して、左側の集音部で集音された車外音から自車両の右側範囲に存在する死角車両の音源の方向を検知する。このため、（ｉ）死角車両（音源）から遠い集音部で回折音を集音することにより、回折による音圧減衰量を小さく抑えることができる。また、（ｉｉ）遮蔽物の反射位置に近い集音部で集音された反射音の方向は検知対象外である。さらに、（ｉｉｉ）遮蔽物の反射位置から遠い集音部で集音された反射音は距離により大きく減衰する。これらの３つの特徴（ｉ）〜（ｉｉｉ）から、回折音の音圧は音源から近い集音部で集音される場合に比べてより大きくなり、反射音は反射音の到来方向に近い集音部で集音される場合に比べてより小さくなる。このため、相対的に回折音は反射音よりもより音圧が大きくなる。よって、遮蔽物からの反射音の影響を除去して他車両の方向を検知することができる。
【００６４】
なお、左側検知部１０３や右側検知部１０４において周波数分析部を備えて、周波数ごとに死角車両の方向検知を行っても良い。また、周波数分析した結果を用いて周波数空間上で死角車両音を識別してから方向検知を行っても良い。
【００６５】
（実施の形態２）
次に、本発明の実施の形態２について説明する。実施の形態２では、集音部で集音された車外音に対してピークホールド処理を施す点が、実施の形態１と異なる。
【００６６】
図１８は、本発明の実施の形態２の死角車両検知システムの全体構成を示したブロック図である。図１８において、図１と同じ構成要素については同じ符号を用い、説明を省略する。
【００６７】
図１８において、死角車両検知システム７０２は、死角車両の音源の方向を検知して、検知結果を運転者に提示するシステムであり、自車両の右側に配置された集音部１０２ａと、自車両の左側に配置された集音部１０２ｂと、死角車両検知装置７００と、提示部１０６とを具備する。死角車両検知装置７００は、集音部１０２ａで集音された車外音１０１ａまたは集音部１０２ｂで集音された車外音１０１ｂから死角車両の音源の方向を検知する装置であり、ピークホールド処理部７０１と、左側検知部１０３と、右側検知部１０４とを具備する。集音部１０２ａと集音部１０２ｂとは離間して配置されている。
【００６８】
ピークホールド処理部７０１は、集音部１０２ａが集音した車外音１０１ａと、集音部１０２ｂが集音した車外音１０１ｂに対して各々にピークホールド処理を行う。
【００６９】
左側検知部１０３は、ピークホールド処理された後の車外音１０１ａから、自車両の左側範囲を検知対象として死角車両の音源の方向を検知し、自車両の右側範囲を検知対象としては死角車両の音源の方向を検知しない。つまり、左側検知部１０３は、ピークホールド処理された後の車外音１０１ａから、自車両の左側範囲のみを検知対象として死角車両の音源の方向を検知する。
【００７０】
右側検知部１０４は、ピークホールド処理された後の車外音１０１ｂから、自車両の右側範囲を検知対象として死角車両の音源の方向を検知し、自車両の左側範囲を検知対象としては死角車両の音源の方向を検知しない。つまり、右側検知部１０４は、ピークホールド処理された後の車外音１０１ｂから、自車両の右側範囲のみを検知対象として死角車両の音源の方向を検知する。
【００７１】
次に、以上のように構成された死角車両検知装置７００の動作について説明する。
【００７２】
図１９は、死角車両検知システム７０２の動作手順を示したフローチャートである。
【００７３】
自車両の右側に配置された集音部１０２ａは、車外音１０１ａを集音する。また、自車両の左側に配置された集音部１０２ｂは、車外音１０１ｂを集音する（ステップＳ３００）。
【００７４】
ピークホールド処理部７０１は、集音部１０２ａが集音した車外音１０１ａと、集音部１０２ｂが集音した車外音１０１ｂに対して各々に対してピークホールド処理を行う（ステップＳ８００）。ピークホールド処理は、図２３に示した従来と同様な方法で行う。つまり、車外音１０１ａおよび車外音１０１ｂの各々に対して、最も音圧が大きい車外音を一定期間出力し続ける処理を行なう。
【００７５】
本実施の形態の構成では、右側の集音部１０２ａで集音された車外音１０１ａから自車両の左側範囲に存在する死角車両の音源の方向を検知して、左側の集音部１０２ｂで集音された車外音１０１ｂから自車両の右側範囲に存在する死角車両の音源の方向を検知する構成をとることで、図８（ｂ）に示すように、回折音は反射音よりも音圧が大きくなる。これにより、従来のピークホールド処理も有効に働くようになる。
【００７６】
次に、左側検知部１０３で、ピークホールド処理された車外音１０１ａを用いて自車両の左側範囲に存在する死角車両の音源の方向を検知して、右側検知部１０４で、ピークホールド処理された車外音１０１ｂを用いて自車両の右側範囲に存在する死角車両の音源の方向を検知する（ステップＳ８０１）。
【００７７】
死角車両の検知に関しては、ピークホールド処理された後の車外音を用いて、実施の形態１と同様に死角車両の音源の方向を検知すればよいので説明は省略する。
【００７８】
かかる構成によれば、反射音の音圧よりも大きい死角車両の車両音（回折音）でピークホールド処理を行うことで、遮蔽物の材質等により反射音や残響音が大きい場合でも、回折音と反射音とが混合することで生じる方向精度の乱れを除去することができる。これによって、死角車両の方向精度の信頼性を高めることができる。
【００７９】
（実施の形態３）
次に、本発明の実施の形態３について説明する。実施の形態３では、集音部１０２ａで集音された車外音１０１ａが後述する音圧閾値よりも大きい場合にのみ、左側検知部１０３が処理を実行し、集音部１０２ｂで集音された車外音１０１ｂが音圧閾値よりも大きい場合にのみ、右側検知部１０４が処理を実行する点が、実施の形態１と異なる。
【００８０】
図２０は、本発明の実施の形態３の死角車両検知システムの全体構成を示したブロック図である。図２０において、図１と同じ構成要素については同じ符号を用い、説明を省略する。
【００８１】
図２０において、死角車両検知システム９０３は、死角車両の音源の方向を検知して、検知結果を運転者に提示するシステムであり、自車両の右側に配置された集音部１０２ａと、自車両の左側に配置された集音部１０２ｂと、死角車両検知装置９００と、提示部１０６とを具備する。死角車両検知装置９００は、集音部１０２ａで集音された車外音１０１ａまたは集音部１０２ｂで集音された車外音１０１ｂから死角車両の音源の方向を検知する装置であり、音圧閾値処理部９０１と、左側検知部１０３と、右側検知部１０４とを具備する。集音部１０２ａと集音部１０２ｂとは離間して配置されている。
【００８２】
音圧閾値処理部９０１は、集音部１０２ａが集音した車外音１０１ａと、集音部１０２ｂが集音した車外音１０１ｂの各々に対して音圧閾値処理を行う。
【００８３】
音圧閾値処理部９０１は、音圧閾値保持部９０１Ａを含む。音圧閾値保持部９０１Ａは、死角車両の回折音と反射音との関係から、死角車両の回折音の音圧が死角車両の反射音の音圧よりも所定の音圧だけ大きくなるときの回折音の音圧である音圧閾値９０２を保持している。
【００８４】
音圧閾値処理部９０１は、右側の集音部１０２ａで集音された車外音１０１ａが音圧閾値９０２より大きい場合に、左側検知部１０３に対して死角車両の音源の方向を検知することを指示し、左側の集音部１０２ｂで集音された車外音１０１ｂが音圧閾値９０２より大きい場合に、右側検知部１０４に対して死角車両の音源の方向を検知することを指示する。
【００８５】
左側検知部１０３は、音圧閾値処理部９０１から音源の方向を検知することを指示された場合に、自車両の左側範囲に存在する死角車両の音源の方向を検知する。
【００８６】
右側検知部１０４は、音圧閾値処理部９０１から音源の方向を検知することを指示された場合に、自車両の右側範囲に存在する死角車両の音源の方向を検知する。
【００８７】
次に、以上のように構成された死角車両検知装置９００の動作について説明する。
【００８８】
図２１は、死角車両検知システム９０３の動作手順を示したフローチャートである。
【００８９】
自車両の右側に配置された集音部１０２ａは、車外音１０１ａを集音する。また、自車両の左側に配置された集音部１０２ｂは、車外音１０１ｂを集音する（ステップＳ３００）。
【００９０】
音圧閾値処理部９０１は、集音した車外音の各々に対して音圧閾値処理を行う（ステップＳ１０００）。
【００９１】
図２２は、音圧閾値の決定方法を説明する図である。図２２の内容は、図８（ｂ）のものと同じものであるので軸の説明は省略する。
【００９２】
図２２の例では、音圧閾値９０２の一例として、死角車両の回折音と反射音との差が１０ｄＢであるときの回折音の音圧である８０ｄＢに音圧閾値９０２を設定してある。回折音（Ｓ）と反射音（Ｎ）とのＳＮ比により方向精度が定まるため、ＳＮ比が１０ｄＢ以上の場合だけを検知対象とすることで、死角車両の方向精度の信頼性を高めることができる。この音圧閾値９０２は、要求される方向精度にあわせて適宜値を変更して設定することができる。
【００９３】
音圧閾値処理部９０１は、右側の集音部１０２ａで集音された車外音１０１ａが音圧閾値９０２より大きい場合に、左側検知部１０３に対して死角車両の音源の方向を検知することを指示し、左側の集音部１０２ｂで集音された車外音１０１ｂが音圧閾値９０２より大きい場合に、右側検知部１０４に対して死角車両の音源の方向を検知することを指示する。
【００９４】
次に、左側検知部１０３は、音圧閾値処理部９０１から音源の方向を検知することが指示された場合に、自車両の左側範囲に存在する死角車両の音源の方向を検知して、右側検知部１０４は、音圧閾値処理部９０１から音源の方向を検知することが指示された場合に、自車両の右側範囲に存在する死角車両の音源の方向を検知する（ステップＳ１００１）。
【００９５】
死角車両の検知に関しては、実施の形態１と同様に死角車両の音源の方向を検知すればよいので説明は省略する。
【００９６】
かかる構成によれば、死角車両の回折音と反射音との関係から定まる音圧閾値９０２を用いて車外音を音圧閾値処理することで、回折音と反射音とが混合することで生じる方向精度の乱れを除去することができる。これによって、死角車両の方向精度の信頼性を高めることができる。さらに、時間方向にピークホールド処理を行っていないため、時刻ごとに死角車両の方向を運転者に知らせることができる。
【００９７】
なお、音圧閾値の設定方法として、雨天時と晴天時での路面状況によるタイヤ走行音の音圧の違いを考慮して、ワイパーの動作や雨滴センサ等で雨天時と晴天時を判断して、音圧閾値を切り替えても良い。つまり、ワイパーまたは雨滴センサが動作しているときは雨天時に対応した音圧閾値を選択し、それ以外の場合には、晴天時に対応した音圧閾値を選択するようにしてもよい。
【００９８】
また、砂利道等の舗装状況によるタイヤ走行音の音圧の違いを考慮して、カーナビ情報や振動センサ等で舗装状況を判断して、音圧閾値を切り替えても良い。
【００９９】
さらに、死角車両の速度の違いによるタイヤ走行音の音圧の違いを考慮して、カーナビ情報等から法定速度を判断して、音圧閾値を切り替えても良い。
【０１００】
また、音圧閾値の条件を満たさず死角車両の検知方向の信頼性が高くない場合には、運転者に死角車両の接近方向（左または右といった大まかなレベルでの接近方向）を知らせて、音圧閾値の条件を満たして死角車両の検知方向の信頼度が高い場合には、運転者に死角車両の位置情報を知らせる（例えば、レーダ表示）という複合的な使い方を行っても良い。
【０１０１】
また、実施の形態３では、車外音の音圧が音圧閾値９０２を超えた場合に、音圧閾値処理部９０１が、左側検知部１０３または右側検知部１０４に音源の方向を検知することを指示しているが、音圧閾値処理部９０１が指示を行わずに、左側検知部１０３または右側検知部１０４に車外音が音圧閾値よりも大きいか否かを示す処理結果を出力するものであってもよい。つまり、処理結果を受け取った左側検知部１０３および右側検知部１０４の各々は、車外音が音圧閾値よりも大きい場合にのみ処理を実行する。
【０１０２】
以上、本発明の実施の形態に係る死角車両検知システムについて説明したが、本発明は、実施の形態１〜３に限定されるものではない。
【０１０３】
上記の死角車両検知システムのうち、本発明に必須の構成要素は、右側および左側の集音部と、左側検知部と、右側検知部とであり、提示部は含まれていなくても良い。上記の死角車両検知装置のうち、本発明に必須の構成要素は、左側検知部と、右側検知部とであり、ピークホールド処理部および音圧閾値処理部は含まれていなくても良い。
【０１０４】
また、上記の死角車両検知システムによると、死角車両と、自車両から死角となっていない他車両とを区別することなく、自車両以外の両方の車両の音源の方向を検知することもできる。
【０１０５】
上記の各システムまたは各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各システムまたは各装置は、その機能を達成する。ここでコンピュータプログラムは、所定の機能を達成するために、コンピュータに対する指令を示す命令コードが複数個組み合わされて構成されたものである。
【０１０６】
さらに、上記の各システムまたは各装置を構成する構成要素の一部または全部は、１個のシステムＬＳＩ（Large Scale Integration：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０７】
さらにまた、上記の各システムまたは各装置を構成する構成要素の一部または全部は、各システムまたは各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０８】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１０９】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、半導体メモリなどに記録したものとしても良い。また、これらの非一時的な記録媒体に記録されている上記デジタル信号であるとしても良い。
【０１１０】
また、本発明は、上記コンピュータプログラムまたは上記デジタル信号を、電気通信回線、無線または有線通信回線、インターネットを代表とするネットワーク、データ放送等を経由して伝送するものとしても良い。
【０１１１】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１１２】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１１３】
さらに、上記実施の形態および上記変形例をそれぞれ組み合わせるとしても良い。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１１５】
本発明に係る死角車両検知システムによると、反射音の影響を除去して遮蔽物の死角に存在する死角車両の音源の方向を検知できる。このため、本発明に係る死角車両検知システムは、出会い頭などの遮蔽物の陰に隠れた死角車両を事前に検知して運転者に知らせる安全運転支援のための死角車両検知システム等に応用できる。
【符号の説明】
【０１１６】
１００、７００、９００  死角車両検知装置
１０１ａ、１０１ｂ  車外音
１０２ａ、１０２ｂ  集音部
１０２ａＬ、１０２ａＲ、１０２ｂＬ、１０２ｂＲ  マイクロホン
１０３  左側検知部
１０４  右側検知部
１０５  検知結果
１０６  提示部
１０８、７０２、９０３  死角車両検知システム
７０１  ピークホールド処理
９０１  音圧閾値処理部
９０１Ａ  音圧閾値保持部
９０２  音圧閾値
【図１】
2012146149.tif 000004
【図２】
2012146149.tif 000005
【図３】
2012146149.tif 000006
【図４】
2012146149.tif 000007
【図５】
2012146149.tif 000008
【図６】
2012146149.tif 000009
【図７】
2012146149.tif 000010
【図８】
2012146149.tif 000011
【図９】
2012146149.tif 000012
【図１０】
2012146149.tif 000013
【図１１】
2012146149.tif 000014
【図１２】
2012146149.tif 000015
【図１３】
2012146149.tif 000016
【図１４】
2012146149.tif 000017
【図１５】
2012146149.tif 000018
【図１６】
2012146149.tif 000019
【図１７】
2012146149.tif 000020
【図１８】
2012146149.tif 000021
【図１９】
2012146149.tif 000022
【図２０】
2012146149.tif 000023
【図２１】
2012146149.tif 000024
【図２２】
2012146149.tif 000025
【図２３】
2012146149.tif 000026